(57)【要約】【課題】本発明は建造物廃棄物の収集集中処理装置を開示した。【解決手段】収集箱を含み、前記収集箱の上端面には収集チャンバが設置され、前記収集チャンバの下側には粉砕装置が設置され、前記粉砕装置により建造物廃棄物を粉砕して収集に便利を与えることができ、前記粉砕装置の四周において前記収集チャンバの下側には吸塵装置が設置され、前記吸塵装置により前記収集チャンバの中に移されたダストを吸い出して空気を汚すのを防止できると同時に、粉砕後に生じたダストを吸出し、収集された建造物廃棄物を取り出す時に生じた大量なダストを減らすことができ、前記粉砕装置の下側には後方に開口した廃棄物収集チャンバが設置され、前記廃棄物収集チャンバの右側には後方に開口したダスト収集チャンバが設置される。【選択図】図１
2020203275.tif 000002
【特許請求の範囲】
【請求項１】
建造物廃棄物の収集集中処理装置であって、正面視で、収集箱を含み、前記収集箱の上端面には収集チャンバが設置され、前記収集チャンバの下側には粉砕装置が設置され、前記粉砕装置により建造物廃棄物を粉砕して収集に便利を与えることができ、前記粉砕装置の四周において前記収集チャンバの下側には吸塵装置が設置され、前記吸塵装置により前記収集チャンバの中に移されたダストを吸い出して空気を汚すのを防止できると同時に、粉砕後に生じたダストを吸出し、収集された建造物廃棄物を取り出す時に生じた大量なダストを減らすことができ、前記粉砕装置の下側には後方に開口した廃棄物収集チャンバが設置され、前記廃棄物収集チャンバの右側には後方に開口したダスト収集チャンバが設置され、前記吸塵装置が前記ダスト収集チャンバの上方に連通しており、前記廃棄物収集チャンバの左上側にはスプレー装置が設置され、前記スプレー装置により間欠的に前記廃棄物収集チャンバの中にダスト抑制剤を噴出させてより効果的にダストの飛び出しを防止でき、前記吸塵装置の右側にはエネルギー供給装置が設置され、前記エネルギー供給装置により前記粉塵装置と前記吸塵装置と前記スプレー装置の作動を連動することができることを特徴とする建造物廃棄物の収集集中処理装置。
【請求項２】
前記粉砕装置は前記収集チャンバの下側に連通するように設置された粉砕チャンバを含み、前記粉砕チャンバの中には回転方向が逆である粉砕輪が前後対称に設置され、前記粉砕チャンバの内壁において前記粉砕輪の下側には濾過板が固定的に設置され、前記粉砕チャンバの下壁と前記廃棄物収集チャンバの上壁との間には落ち通路が連通するように設置されていることを特徴とする請求項１に記載の建造物廃棄物の収集集中処理装置。
【請求項３】
前記吸塵装置は前記収集チャンバの下壁の四周に連通するように設置された吸塵チャンバを含み、前記吸塵チャンバと前記収集チャンバの連通した場所には環状濾過板が固定的に設置され、前記落ち通路の右壁と前記吸塵チャンバの右側には連通口が連通し、前記吸塵チャンバのうち右側部分に位置した右壁の下端にはファンチャンバが連通するように設置され、前記ファンチャンバと前記吸塵チャンバの連通したところには風透過網が固定的に設置され、前記ファンチャンバの右壁にはファンが回転可能に設置され、前記ファンチャンバの右壁の下端には右方に開口した排気口が連通するように設置され、前記ファンチャンバの下壁と前記ダスト収集チャンバの上壁にはダスト落ち通路が連通するように設置されていることを特徴とする請求項１に記載の建造物廃棄物の収集集中処理装置。
【請求項４】
前記エネルギー供給装置は前記ファンチャンバの右側に設置されたエネルギー供給チャンバを含み、前記エネルギー供給チャンバの右壁の下端にはモータが固定的に設置され、前記モータの左端には動力プーリが伝動可能に連結され、前記動力プーリが前記ファンに伝動可能に連結され、前記エネルギー供給チャンバの左壁において前記粉砕輪に対向した場所には噛み合った平歯車が回転可能に設置され、後側の前記平歯車の右端には伝動プーリが同軸に固定的に設置され、前記伝動プーリと前記動力プーリとの間には動力ベルトが巻き付けられ、前記平歯車の軸心には伝動軸が固定的に設置され、前記吸塵チャンバの右側の左右壁の間には軸通し柱が前後対称かつ固定的に設置され、前記伝動軸の左端が前記軸通し柱を通って粉砕輪の軸心に固定的に連結されていることを特徴とする請求項１に記載の建造物廃棄物の収集集中処理装置。
【請求項５】
前記スプレー装置は前記廃棄物収集チャンバの上側に設置された旋転チャンバを含み、前記旋転チャンバの中には回転盤が回転可能に設置され、前記回転盤の中には分散チャンバが設置され、前記分散チャンバの下壁にはスプレー口が連通するように設置され、前記旋転チャンバと前記廃棄物収集チャンバの間には前記スプレー口と連通した抜き口が連通するように設置され、前記旋転チャンバの下側には伝動チャンバが設置され、前記伝動チャンバの上下壁の間には前記回転盤の上端に固定的に連結された旋転柱が回転可能に設置され、前記旋転柱の中には前記分散チャンバの上側に連通した抜き穴が上下に貫通するように設置されていることを特徴とする請求項１に記載の建造物廃棄物の収集集中処理装置。
【請求項６】
前記旋転柱の外円面には環状傘歯車が固定的に設置され、前記環状傘歯車の左側には噛み合った傘歯車が回転可能に設置され、前記傘歯車の左側には従動プーリが同軸に固定的に設置され、前記伝動チャンバの上壁には前記粉砕チャンバの左側に位置したプーリチャンバが連通するように設置され、前記プーリチャンバの中には後側の前記粉砕輪に伝動可能に連結された駆動プーリが回転可能に設置され、前記駆動プーリと前記従動プーリとの間には伝動ベルトが巻き付けられていることを特徴とする請求項１に記載の建造物廃棄物の収集集中処理装置。
【請求項７】
前記収集チャンバの左側にはダスト抑制剤貯蔵チャンバが設置され、前記ダスト抑制剤貯蔵チャンバの下壁には前記抜き穴の上側に連通した流通パイプが連通するように設置され、前記ダスト抑制剤貯蔵チャンバの下側には前記当て板チャンバが前記流通パイプを貫通するように設置され、前記当て板チャンバの中には当て板がスライド可能に設置され、前記当て板の中には前記流通パイプと連通した通し口が上下に貫通するように設置され、前記当て板の左端が外部に延びており、前記当て板の左端には押し引き板が固定的に設置され、前記当て板チャンバの下壁において前記流通パイプには位置制限溝が連通するように設置され、前記位置制限溝の中には前記当て板の下端面に固定的に連結された位置制限ブロックがスライド可能に設置されていることを特徴とする請求項１に記載の建造物廃棄物の収集集中処理装置。
【請求項８】
前記ダスト収集チャンバの中にはダスト収集箱が前後にスライド可能に設置され、前記ダスト収集箱の中には第二ダスト収集チャンバが設置され、前記第二ダスト収集チャンバの上壁の前半部分には上方に開口した開口が連通するように設置され、前記ダスト落ち通路が前記開口と対向することができ、前記第二ダスト収集チャンバの左右壁の上端にはガイドスライド溝が対称的かつ連通するように設置され、前記第二ダスト収集チャンバの中には左右両端が前記ガイドスライド溝の中に延びたスライド蓋板が設置され、前記スライド蓋板の前端には押し引きブロックが固定的に設置され、前記ダスト収集チャンバの上壁の後半部分には後方に開口した引掛りブロックチャンバが連通するように設置され、前記押し引きブロックの上端が前記開口を通って前記引掛りブロックチャンバに沿って前後にスライドすることができ、前記引掛りブロックチャンバの上壁の前端には引掛りブロックが固定的に設置されことを特徴とする請求項１に記載の建造物廃棄物の収集集中処理装置。
【請求項９】
前記廃棄物収集チャンバの中には廃棄物収集箱が前後にスライド可能に設置され、前記廃棄物収集箱の中には上方に開口した第二廃棄物収集チャンバが設置され、前記廃棄物収集箱と前記ダスト収集箱の後端面にはハンドルが固定的に設置されていることを特徴とする請求項１に記載の建造物廃棄物の収集集中処理装置。
【発明の詳細な説明】
【技術分野】
【０００１】
本発明は建造物廃棄物処理技術分野に関し、具体的には建造物廃棄物の収集集中処理装置に関する。
【背景技術】
【０００２】
建造物は解体後大量な廃棄物が残り、それらを収集して処理する必要がある。しかし、収集の中で、ダストが生成して空気を汚し、現場作業員の健康に影響する。普通のダスト処理手段は建造物を倒す場所に吸塵を行うのであり、しかし収集する時や収集した廃棄物を取り出す時に依然として大量なダストが生じ、処理が完全とは言えない。本願発明は上記問題を解決できる。
【先行技術文献】
【特許文献】
【０００３】
【特許文献１】中国特許出願公開第109999229号明細書
【発明の概要】
【発明が解決しようとする課題】
【０００４】
普通の建造物廃棄物収集装置はダストの処理を行わず、処理しても吸塵ぐらいであり、ダストを別々で収集できない。
【課題を解決するための手段】
【０００５】
本発明は以下の技術プランを提供する：本発明である建造物廃棄物の収集集中処理装置は、収集箱を含み、前記収集箱の上端面には収集チャンバが設置され、前記収集チャンバの下側には粉砕装置が設置され、前記粉砕装置により建造物廃棄物を粉砕して収集に便利を与えることができ、前記粉砕装置の四周において前記収集チャンバの下側には吸塵装置が設置され、前記吸塵装置により前記収集チャンバの中に移されたダストを吸い出して空気を汚すのを防止できると同時に、粉砕後に生じたダストを吸出し、収集された建造物廃棄物を取り出す時に生じた大量なダストを減らすことができ、前記粉砕装置の下側には後方に開口した廃棄物収集チャンバが設置され、前記廃棄物収集チャンバの右側には後方に開口したダスト収集チャンバが設置され、前記吸塵装置が前記ダスト収集チャンバの上方に連通しており、前記廃棄物収集チャンバの左上側にはスプレー装置が設置され、前記スプレー装置により間欠的に前記廃棄物収集チャンバの中にダスト抑制剤を噴出させてより効果的にダストの飛び出しを防止でき、前記吸塵装置の右側にはエネルギー供給装置が設置され、前記エネルギー供給装置により前記粉塵装置と前記吸塵装置と前記スプレー装置の作動を連動することができる。
【０００６】
前述した技術プランの上で、前記粉砕装置は前記収集チャンバの下側に連通するように設置された粉砕チャンバを含み、前記粉砕チャンバの中には回転方向が逆である粉砕輪が前後対称に設置され、前記粉砕チャンバの内壁において前記粉砕輪の下側には濾過板が固定的に設置され、前記粉砕チャンバの下壁と前記廃棄物収集チャンバの上壁との間には落ち通路が連通するように設置されている。
【０００７】
前述した技術プランの上で、前記吸塵装置は前記収集チャンバの下壁の四周に連通するように設置された吸塵チャンバを含み、前記吸塵チャンバと前記収集チャンバの連通した場所には環状濾過板が固定的に設置され、前記落ち通路の右壁と前記吸塵チャンバの右側には連通口が連通し、前記吸塵チャンバのうち右側部分に位置した右壁の下端にはファンチャンバが連通するように設置され、前記ファンチャンバと前記吸塵チャンバの連通したところには風透過網が固定的に設置され、前記ファンチャンバの右壁にはファンが回転可能に設置され、前記ファンチャンバの右壁の下端には右方に開口した排気口が連通するように設置され、前記ファンチャンバの下壁と前記ダスト収集チャンバの上壁にはダスト落ち通路が連通するように設置されている。
【０００８】
前述した技術プランの上で、前記エネルギー供給装置は前記ファンチャンバの右側に設置されたエネルギー供給チャンバを含み、前記エネルギー供給チャンバの右壁の下端にはモータが固定的に設置され、前記モータの左端には動力プーリが伝動可能に連結され、前記動力プーリが前記ファンに伝動可能に連結され、前記エネルギー供給チャンバの左壁において前記粉砕輪に対向した場所には噛み合った平歯車が回転可能に設置され、後側の前記平歯車の右端には伝動プーリが同軸に固定的に設置され、前記伝動プーリと前記動力プーリとの間には動力ベルトが巻き付けられ、前記平歯車の軸心には伝動軸が固定的に設置され、前記吸塵チャンバの右側の左右壁の間には軸通し柱が前後対称かつ固定的に設置され、前記伝動軸の左端が前記軸通し柱を通って粉砕輪の軸心に固定的に連結され、前記軸通し柱は前記伝動軸が前記吸塵チャンバを通る時にダストに汚されて損害しないように保護することができる。
【０００９】
前述した技術プランの上で、前記スプレー装置は前記廃棄物収集チャンバの上側に設置された旋転チャンバを含み、前記旋転チャンバの中には回転盤が回転可能に設置され、前記回転盤の中には分散チャンバが設置され、前記分散チャンバの下壁にはスプレー口が連通するように設置され、前記旋転チャンバと前記廃棄物収集チャンバの間には前記スプレー口と連通した抜き口が連通するように設置され、前記旋転チャンバの下側には伝動チャンバが設置され、前記伝動チャンバの上下壁の間には前記回転盤の上端に固定的に連結された旋転柱が回転可能に設置され、前記旋転柱の中には前記分散チャンバの上側に連通した抜き穴が上下に貫通するように設置されている。
【００１０】
前述した技術プランの上で、前記旋転柱の外円面には環状傘歯車が固定的に設置され、前記環状傘歯車の左側には噛み合った傘歯車が回転可能に設置され、前記傘歯車の左側には従動プーリが同軸に固定的に設置され、前記伝動チャンバの上壁には前記粉砕チャンバの左側に位置したプーリチャンバが連通するように設置され、前記プーリチャンバの中には後側の前記粉砕輪に伝動可能に連結された駆動プーリが回転可能に設置され、前記駆動プーリと前記従動プーリとの間には伝動ベルトが巻き付けられている。
【００１１】
前述した技術プランの上で、前記収集チャンバの左側にはダスト抑制剤貯蔵チャンバが設置され、前記ダスト抑制剤貯蔵チャンバの下壁には前記抜き穴の上側に連通した流通パイプが連通するように設置され、前記ダスト抑制剤貯蔵チャンバの下側には前記当て板チャンバが前記流通パイプを貫通するように設置され、前記当て板チャンバの中には当て板がスライド可能に設置され、前記当て板の中には前記流通パイプと連通した通し口が上下に貫通するように設置され、前記当て板の左端が外部に延びており、前記当て板の左端には押し引き板が固定的に設置され、前記当て板チャンバの下壁において前記流通パイプには位置制限溝が連通するように設置され、前記位置制限溝の中には前記当て板の下端面に固定的に連結された位置制限ブロックがスライド可能に設置されている。
【００１２】
前述した技術プランの上で、前記ダスト収集チャンバの中にはダスト収集箱が前後にスライド可能に設置され、前記ダスト収集箱の中には第二ダスト収集チャンバが設置され、前記第二ダスト収集チャンバの上壁の前半部分には上方に開口した開口が連通するように設置され、前記ダスト落ち通路が前記開口と対向することができ、前記第二ダスト収集チャンバの左右壁の上端にはガイドスライド溝が対称的かつ連通するように設置され、前記第二ダスト収集チャンバの中には左右両端が前記ガイドスライド溝の中に延びたスライド蓋板が設置され、前記スライド蓋板の前端には押し引きブロックが固定的に設置され、前記ダスト収集チャンバの上壁の後半部分には後方に開口した引掛りブロックチャンバが連通するように設置され、前記押し引きブロックの上端が前記開口を通って前記引掛りブロックチャンバに沿って前後にスライドすることができ、前記引掛りブロックチャンバの上壁の前端には引掛りブロックが固定的に設置され、前記引掛りブロックが前記押し引きブロックを係止して、前記ダスト収集箱を移し出す時に前記スライド蓋板を連動させて前記開口を塞ぐことができる。
【００１３】
前述した技術プランの上で、前記廃棄物収集チャンバの中には廃棄物収集箱が前後にスライド可能に設置され、前記廃棄物収集箱の中には上方に開口した第二廃棄物収集チャンバが設置され、前記廃棄物収集箱と前記ダスト収集箱の後端面にはハンドルが固定的に設置され、使用者は前記ハンドルによって前記ダスト収集箱と前記廃棄物収集箱を押し引きすることができる。
【発明の効果】
【００１４】
本発明の有益効果は：本発明は建造物廃棄物を収集する時に効果的にダストを吸い取り、廃棄物とダストとを別々で貯蔵すると同時に、廃棄物にダスト抑制剤をスプレーし、廃棄物を収集又は取り出す時にダストが飛び散らして空気を汚すのを防止できる。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の建造物廃棄物の収集集中処理装置の全体構成概略図
【図２】図２は図１の「Ａ―Ａ」方向の構成概略図
【図３】図３は図１の「Ｂ―Ｂ」方向の構成概略図
【図４】図４は図１の「Ｃ―Ｃ」方向の構成概略図
【図５】図５は図１の「Ｄ―Ｄ」方向の構成概略図
【図６】図６は図１の「Ｅ」の拡大略図
【図７】図７は図１の「Ｆ」の拡大略図
【発明を実施するための形態】
【００１７】
本願発明は建造物廃棄物の収集集中処理装置に関し、主には建造物廃棄物を収集するときのダストに対する処理に適用し、下記に図面を合わせて本願発明についてさらなる説明を行う。
【００１８】
本願発明の建造物廃棄物の収集集中処理装置は、収集箱１１を含み、前記収集箱１１の上端面には収集チャンバ１２が設置され、前記収集チャンバ１２の下側には粉砕装置１０１が設置され、前記粉砕装置１０１により建造物廃棄物を粉砕して収集に便利を与えることができ、前記粉砕装置１０１の四周において前記収集チャンバ１２の下側には吸塵装置１０２が設置され、前記吸塵装置１０２により前記収集チャンバ１２の中に移されたダストを吸い出して空気を汚すのを防止できると同時に、粉砕後に生じたダストを吸出し、収集された建造物廃棄物を取り出す時に生じた大量なダストを減らすことができ、前記粉砕装置１０１の下側には後方に開口した廃棄物収集チャンバ１３が設置され、前記廃棄物収集チャンバ１３の右側には後方に開口したダスト収集チャンバ１４が設置され、前記吸塵装置１０２が前記ダスト収集チャンバ１４の上方に連通しており、前記廃棄物収集チャンバ１３の左上側にはスプレー装置１０３が設置され、前記スプレー装置１０３により間欠的に前記廃棄物収集チャンバ１３の中にダスト抑制剤を噴出させてより効果的にダストの飛び出しを防止でき、前記吸塵装置１０２の右側にはエネルギー供給装置１０４が設置され、前記エネルギー供給装置１０４により前記粉塵装置１０１と前記吸塵装置１０２と前記スプレー装置１０３の作動を連動することができる。
【００１９】
有益的には、前記粉砕装置１０１は前記収集チャンバ１２の下側に連通するように設置された粉砕チャンバ１５を含み、前記粉砕チャンバ１５の中には回転方向が逆である粉砕輪１６が前後対称に設置され、前記粉砕チャンバ１５の内壁において前記粉砕輪１６の下側には濾過板１７が固定的に設置され、前記粉砕チャンバ１５の下壁と前記廃棄物収集チャンバ１３の上壁との間には落ち通路１８が連通するように設置されている。  
【００２０】
有益的には、前記吸塵装置１０２は前記収集チャンバ１２の下壁の四周に連通するように設置された吸塵チャンバ１９を含み、前記吸塵チャンバ１９と前記収集チャンバ１２の連通した場所には環状濾過板２０が固定的に設置され、前記落ち通路１８の右壁と前記吸塵チャンバ１９の右側には連通口６６が連通し、前記吸塵チャンバ１９のうち右側部分に位置した右壁の下端にはファンチャンバ２１が連通するように設置され、前記ファンチャンバ２１と前記吸塵チャンバ１９の連通したところには風透過網２２が固定的に設置され、前記ファンチャンバ２１の右壁にはファン２３が回転可能に設置され、前記ファンチャンバ２１の右壁の下端には右方に開口した排気口２４が連通するように設置され、前記ファンチャンバ２１の下壁と前記ダスト収集チャンバ１４の上壁にはダスト落ち通路２５が連通するように設置されている。
【００２１】
有益的には、前記エネルギー供給装置１０４は前記ファンチャンバ２１の右側に設置されたエネルギー供給チャンバ２６を含み、前記エネルギー供給チャンバ２６の右壁の下端にはモータ２７が固定的に設置され、前記モータ２７の左端には動力プーリ２８が伝動可能に連結され、前記動力プーリ２８が前記ファン２３に伝動可能に連結され、前記エネルギー供給チャンバ２６の左壁において前記粉砕輪１６に対向した場所には噛み合った平歯車２９が回転可能に設置され、後側の前記平歯車２９の右端には伝動プーリ３０が同軸に固定的に設置され、前記伝動プーリ３０と前記動力プーリ２８との間には動力ベルト３１が巻き付けられ、前記平歯車２９の軸心には伝動軸３２が固定的に設置され、前記吸塵チャンバ１９の右側の左右壁の間には軸通し柱３３が前後対称かつ固定的に設置され、前記伝動軸３２の左端が前記軸通し柱３３を通って粉砕輪１６の軸心に固定的に連結され、前記軸通し柱３３は前記伝動軸３２が前記吸塵チャンバ１９を通る時にダストに汚されて損害しないように保護することができる。
【００２２】
有益的には、前記スプレー装置１０３は前記廃棄物収集チャンバ１３の上側に設置された旋転チャンバ３４を含み、前記旋転チャンバ３４の中には回転盤３５が回転可能に設置され、前記回転盤３５の中には分散チャンバ３６が設置され、前記分散チャンバ３６の下壁にはスプレー口３７が連通するように設置され、前記旋転チャンバ３４と前記廃棄物収集チャンバ１３の間には前記スプレー口３７と連通した抜き口３８が連通するように設置され、前記旋転チャンバ３４の下側には伝動チャンバ３９が設置され、前記伝動チャンバ３９の上下壁の間には前記回転盤３５の上端に固定的に連結された旋転柱４０が回転可能に設置され、前記旋転柱４０の中には前記分散チャンバ３６の上側に連通した抜き穴４１が上下に貫通するように設置されている。
【００２３】
有益的には、前記旋転柱４０の外円面には環状傘歯車４２が固定的に設置され、前記環状傘歯車４２の左側には噛み合った傘歯車４３が回転可能に設置され、前記傘歯車４３の左側には従動プーリ４４が同軸に固定的に設置され、前記伝動チャンバ３９の上壁には前記粉砕チャンバ１５の左側に位置したプーリチャンバ４５が連通するように設置され、前記プーリチャンバ４５の中には後側の前記粉砕輪１６に伝動可能に連結された駆動プーリ４６が回転可能に設置され、前記駆動プーリ４６と前記従動プーリ４４との間には伝動ベルト４７が巻き付けられている。
【００２４】
有益的には、前記収集チャンバ１２の左側にはダスト抑制剤貯蔵チャンバ４８が設置され、前記ダスト抑制剤貯蔵チャンバ４８の下壁には前記抜き穴４１の上側に連通した流通パイプ４９が連通するように設置され、前記ダスト抑制剤貯蔵チャンバ４８の下側には前記当て板チャンバ５０が前記流通パイプ４９を貫通するように設置され、前記当て板チャンバ５０の中には当て板５１がスライド可能に設置され、前記当て板５１の中には前記流通パイプ４９と連通した通し口５２が上下に貫通するように設置され、前記当て板５１の左端が外部に延びており、前記当て板５１の左端には押し引き板５３が固定的に設置され、前記当て板チャンバ５０の下壁において前記流通パイプ４９には位置制限溝５４が連通するように設置され、前記位置制限溝５４の中には前記当て板５１の下端面に固定的に連結された位置制限ブロック５５がスライド可能に設置されている。
【００２５】
有益的には、前記ダスト収集チャンバ１４の中にはダスト収集箱５６が前後にスライド可能に設置され、前記ダスト収集箱５６の中には第二ダスト収集チャンバ５７が設置され、前記第二ダスト収集チャンバ５７の上壁の前半部分には上方に開口した開口５８が連通するように設置され、前記ダスト落ち通路２５が前記開口５８と対向することができ、前記第二ダスト収集チャンバ５７の左右壁の上端にはガイドスライド溝５９が対称的かつ連通するように設置され、前記第二ダスト収集チャンバ５７の中には左右両端が前記ガイドスライド溝５９の中に延びたスライド蓋板６０が設置され、前記スライド蓋板６０の前端には押し引きブロック６１が固定的に設置され、前記ダスト収集チャンバ１４の上壁の後半部分には後方に開口した引掛りブロックチャンバ６２が連通するように設置され、前記押し引きブロック６１の上端が前記開口５８を通って前記引掛りブロックチャンバ６２に沿って前後にスライドすることができ、前記引掛りブロックチャンバ６２の上壁の前端には引掛りブロック６３が固定的に設置され、前記引掛りブロック６３が前記押し引きブロック６１を係止して、前記ダスト収集箱５６を移し出す時に前記スライド蓋板６０を連動させて前記開口５８を塞ぐことができる。
【００２６】
有益的には、前記廃棄物収集チャンバ１３の中には廃棄物収集箱６５が前後にスライド可能に設置され、前記廃棄物収集箱６５の中には上方に開口した第二廃棄物収集チャンバ６７が設置され、前記廃棄物収集箱６５と前記ダスト収集箱５６の後端面にはハンドル６４が固定的に設置され、使用者は前記ハンドル６４によって前記ダスト収集箱５６と前記廃棄物収集箱６５を押し引きすることができる。
【００２７】
下記に図１〜図７をあわせて本願発明の建造物廃棄物の収集集中処理装置の使用方法について詳しく説明する。
【００２８】
初期状態の時、当て板５１が流通パイプ４９を塞いている。
【００２９】
収集する時、モータ２７が起動して動力プーリ２８を回転連動させることで、ファン２３が連動して回転し空気を吸い込み、動力プーリ２８が動力ベルト３１により伝動プーリ３０を回転させて後側の平歯車２９を回転させ、更に歯車噛合により前側の平歯車２９を反転させ、更に伝動軸３２により粉砕輪１６を回転させ、この時後側の粉砕輪１６が駆動プーリ４６を回転連動させ、伝動ベルト４７により従動プーリ４４を回転させて傘歯車４３を回転させ、また歯車噛合により環状傘歯車４２を回転させて旋転柱４０を回転させることで、回転盤３５を回転させ、この時建造物の廃棄物を収集チャンバ１２に入れ、廃棄物が直接に粉砕チャンバ１５の中に落ちて粉砕輪１６により粉砕され、ダストが吸塵チャンバ１９の中に吸い込まれてダスト落ち通路２５を通過して第二ダスト収集チャンバ５７の中に落ち、粉砕された廃棄物が落ち通路１８を通過して第二廃棄物収集チャンバ６７の中に落ち、生じたダストが連通口６６から吸塵チャンバ１９の中に吸い込まれ、この時左に押し引き板５３を引いて当て板５１を左に移動させて通し口５２と流通パイプ４９とを連通し、ダスト抑制剤貯蔵チャンバ４８の中のダスト抑制剤が流通パイプ４９と抜き穴４１を通って分散チャンバ３６の中に流れ込み、スプレー口３７と抜き口３８とが連通した時、ダスト抑制剤が廃棄物にスプレーされる。
【００３０】
本発明の有益効果は：本発明は建造物廃棄物を収集する時に効果的にダストを吸い取り、廃棄物とダストとを別々で貯蔵すると同時に、廃棄物にダスト抑制剤をスプレーし、廃棄物を収集又は取り出す時にダストが飛び散らして空気を汚すのを防止できる。
【００３１】
上記方式により、当分野の技術者は本発明の範囲内に作動パターンにより各種な変化を実現できる。
【図１】
2020203275.tif 000003
【図２】
2020203275.tif 000004
【図３】
2020203275.tif 000005
【図４】
2020203275.tif 000006
【図５】
2020203275.tif 000007
【図６】
2020203275.tif 000008
【図７】
2020203275.tif 000009
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
建造物廃棄物の収集集中処理装置であって、正面視で、収集箱を含み、前記収集箱の上端面には収集チャンバが設置され、前記収集チャンバの下側には粉砕装置が設置され、前記粉砕装置により建造物廃棄物を粉砕して収集に便利を与えることができ、前記粉砕装置の四周において前記収集チャンバの下側には吸塵装置が設置され、前記吸塵装置により前記収集チャンバの中に移されたダストを吸い出して空気を汚すのを防止できると同時に、粉砕後に生じたダストを吸出し、収集された建造物廃棄物を取り出す時に生じた大量なダストを減らすことができ、前記粉砕装置の下側には後方に開口した廃棄物収集チャンバが設置され、前記廃棄物収集チャンバの右側には後方に開口したダスト収集チャンバが設置され、前記吸塵装置が前記ダスト収集チャンバの上方に連通しており、前記廃棄物収集チャンバの左上側にはスプレー装置が設置され、前記スプレー装置により間欠的に前記廃棄物収集チャンバの中にダスト抑制剤を噴出させてより効果的にダストの飛び出しを防止でき、前記吸塵装置の右側にはエネルギー供給装置が設置され、前記エネルギー供給装置により前記粉砕装置と前記吸塵装置と前記スプレー装置の作動を連動することができ、
前記粉砕装置は前記収集チャンバの下側に連通するように設置された粉砕チャンバを含み、前記粉砕チャンバの中には回転方向が逆である粉砕輪が前後対称に設置され、前記粉砕チャンバの内壁において前記粉砕輪の下側には濾過板が固定的に設置され、前記粉砕チャンバの下壁と前記廃棄物収集チャンバの上壁との間には落ち通路が連通するように設置されており、
前記吸塵装置は前記収集チャンバの下壁の四周に連通するように設置された吸塵チャンバを含み、前記吸塵チャンバと前記収集チャンバの連通した場所には環状濾過板が固定的に設置され、前記落ち通路の右壁と前記吸塵チャンバの右側には連通口が連通し、前記吸塵チャンバのうち右側部分に位置した右壁の下端にはファンチャンバが連通するように設置され、前記ファンチャンバと前記吸塵チャンバの連通したところには風透過網が固定的に設置され、前記ファンチャンバの右壁にはファンが回転可能に設置され、前記ファンチャンバの右壁の下端には右方に開口した排気口が連通するように設置され、前記ファンチャンバの下壁と前記ダスト収集チャンバの上壁にはダスト落ち通路が連通するように設置されており、
前記エネルギー供給装置は前記ファンチャンバの右側に設置されたエネルギー供給チャンバを含み、前記エネルギー供給チャンバの右壁の下端にはモータが固定的に設置され、前記モータの左端には動力プーリが伝動可能に連結され、前記動力プーリが前記ファンに伝動可能に連結され、前記エネルギー供給チャンバの左壁において前記粉砕輪に対向した場所には噛み合った平歯車が回転可能に設置され、後側の前記平歯車の右端には伝動プーリが同軸に固定的に設置され、前記伝動プーリと前記動力プーリとの間には動力ベルトが巻き付けられ、前記平歯車の軸心には伝動軸が固定的に設置され、前記吸塵チャンバの右側の左右壁の間には軸通し柱が前後対称かつ固定的に設置され、前記伝動軸の左端が前記軸通し柱を通って粉砕輪の軸心に固定的に連結されており、
前記スプレー装置は前記廃棄物収集チャンバの上側に設置された旋転チャンバを含み、前記旋転チャンバの中には回転盤が回転可能に設置され、前記回転盤の中には分散チャンバが設置され、前記分散チャンバの下壁にはスプレー口が連通するように設置され、前記旋転チャンバと前記廃棄物収集チャンバの間には前記スプレー口と連通した抜き口が連通するように設置され、前記旋転チャンバの下側には伝動チャンバが設置され、前記伝動チャンバの上下壁の間には前記回転盤の上端に固定的に連結された旋転柱が回転可能に設置され、前記旋転柱の中には前記分散チャンバの上側に連通した抜き穴が上下に貫通するように設置されており、
前記旋転柱の外円面には環状傘歯車が固定的に設置され、前記環状傘歯車の左側には噛み合った傘歯車が回転可能に設置され、前記傘歯車の左側には従動プーリが同軸に固定的に設置され、前記伝動チャンバの上壁には前記粉砕チャンバの左側に位置したプーリチャンバが連通するように設置され、前記プーリチャンバの中には後側の前記粉砕輪に伝動可能に連結された駆動プーリが回転可能に設置され、前記駆動プーリと前記従動プーリとの間には伝動ベルトが巻き付けられており、
前記収集チャンバの左側にはダスト抑制剤貯蔵チャンバが設置され、前記ダスト抑制剤貯蔵チャンバの下壁には前記抜き穴の上側に連通した流通パイプが連通するように設置され、前記ダスト抑制剤貯蔵チャンバの下側には当て板チャンバが前記流通パイプを貫通するように設置され、前記当て板チャンバの中には当て板がスライド可能に設置され、前記当て板の中には前記流通パイプと連通した通し口が上下に貫通するように設置され、前記当て板の左端が外部に延びており、前記当て板の左端には押し引き板が固定的に設置され、前記当て板チャンバの下壁において前記流通パイプには位置制限溝が連通するように設置され、前記位置制限溝の中には前記当て板の下端面に固定的に連結された位置制限ブロックがスライド可能に設置されており、
前記ダスト収集チャンバの中にはダスト収集箱が前後にスライド可能に設置され、前記ダスト収集箱の中には第二ダスト収集チャンバが設置され、前記第二ダスト収集チャンバの上壁の前半部分には上方に開口した開口が連通するように設置され、前記ダスト落ち通路が前記開口と対向することができ、前記第二ダスト収集チャンバの左右壁の上端にはガイドスライド溝が対称的かつ連通するように設置され、前記第二ダスト収集チャンバの中には左右両端が前記ガイドスライド溝の中に延びたスライド蓋板が設置され、前記スライド蓋板の前端には押し引きブロックが固定的に設置され、前記ダスト収集チャンバの上壁の後半部分には後方に開口した引掛りブロックチャンバが連通するように設置され、前記押し引きブロックの上端が前記開口を通って前記引掛りブロックチャンバに沿って前後にスライドすることができ、前記引掛りブロックチャンバの上壁の前端には引掛りブロックが固定的に設置され、
前記廃棄物収集チャンバの中には廃棄物収集箱が前後にスライド可能に設置され、前記廃棄物収集箱の中には上方に開口した第二廃棄物収集チャンバが設置され、前記廃棄物収集箱と前記ダスト収集箱の後端面にはハンドルが固定的に設置されていることを特徴とする建造物廃棄物の収集集中処理装置。
【手続補正２】
【補正対象書類名】明細書
【補正対象項目名】全文
【補正方法】変更
【補正の内容】
【発明の詳細な説明】
【技術分野】
【０００１】
本発明は建造物廃棄物処理技術分野に関し、具体的には建造物廃棄物の収集集中処理装置に関する。
【背景技術】
【０００２】
建造物は解体後大量な廃棄物が残り、それらを収集して処理する必要がある。しかし、収集の中で、ダストが生成して空気を汚し、現場作業員の健康に影響する。普通のダスト処理手段は建造物を倒す場所に吸塵を行うのであり、しかし収集する時や収集した廃棄物を取り出す時に依然として大量なダストが生じ、処理が完全とは言えない。本願発明は上記問題を解決できる。
【先行技術文献】
【特許文献】
【０００３】
【特許文献１】中国特許出願公開第１０９９９９２２９号明細書
【発明の概要】
【発明が解決しようとする課題】
【０００４】
普通の建造物廃棄物収集装置はダストの処理を行わず、処理しても吸塵ぐらいであり、ダストを別々で収集できない。
【課題を解決するための手段】
【０００５】
本発明は以下の技術プランを提供する：本発明である建造物廃棄物の収集集中処理装置は、収集箱を含み、前記収集箱の上端面には収集チャンバが設置され、前記収集チャンバの下側には粉砕装置が設置され、前記粉砕装置により建造物廃棄物を粉砕して収集に便利を与えることができ、前記粉砕装置の四周において前記収集チャンバの下側には吸塵装置が設置され、前記吸塵装置により前記収集チャンバの中に移されたダストを吸い出して空気を汚すのを防止できると同時に、粉砕後に生じたダストを吸出し、収集された建造物廃棄物を取り出す時に生じた大量なダストを減らすことができ、前記粉砕装置の下側には後方に開口した廃棄物収集チャンバが設置され、前記廃棄物収集チャンバの右側には後方に開口したダスト収集チャンバが設置され、前記吸塵装置が前記ダスト収集チャンバの上方に連通しており、前記廃棄物収集チャンバの左上側にはスプレー装置が設置され、前記スプレー装置により間欠的に前記廃棄物収集チャンバの中にダスト抑制剤を噴出させてより効果的にダストの飛び出しを防止でき、前記吸塵装置の右側にはエネルギー供給装置が設置され、前記エネルギー供給装置により前記粉砕装置と前記吸塵装置と前記スプレー装置の作動を連動することができる。
【０００６】
前述した技術プランの上で、前記粉砕装置は前記収集チャンバの下側に連通するように設置された粉砕チャンバを含み、前記粉砕チャンバの中には回転方向が逆である粉砕輪が前後対称に設置され、前記粉砕チャンバの内壁において前記粉砕輪の下側には濾過板が固定的に設置され、前記粉砕チャンバの下壁と前記廃棄物収集チャンバの上壁との間には落ち通路が連通するように設置されている。
【０００７】
前述した技術プランの上で、前記吸塵装置は前記収集チャンバの下壁の四周に連通するように設置された吸塵チャンバを含み、前記吸塵チャンバと前記収集チャンバの連通した場所には環状濾過板が固定的に設置され、前記落ち通路の右壁と前記吸塵チャンバの右側には連通口が連通し、前記吸塵チャンバのうち右側部分に位置した右壁の下端にはファンチャンバが連通するように設置され、前記ファンチャンバと前記吸塵チャンバの連通したところには風透過網が固定的に設置され、前記ファンチャンバの右壁にはファンが回転可能に設置され、前記ファンチャンバの右壁の下端には右方に開口した排気口が連通するように設置され、前記ファンチャンバの下壁と前記ダスト収集チャンバの上壁にはダスト落ち通路が連通するように設置されている。
【０００８】
前述した技術プランの上で、前記エネルギー供給装置は前記ファンチャンバの右側に設置されたエネルギー供給チャンバを含み、前記エネルギー供給チャンバの右壁の下端にはモータが固定的に設置され、前記モータの左端には動力プーリが伝動可能に連結され、前記動力プーリが前記ファンに伝動可能に連結され、前記エネルギー供給チャンバの左壁において前記粉砕輪に対向した場所には噛み合った平歯車が回転可能に設置され、後側の前記平歯車の右端には伝動プーリが同軸に固定的に設置され、前記伝動プーリと前記動力プーリとの間には動力ベルトが巻き付けられ、前記平歯車の軸心には伝動軸が固定的に設置され、前記吸塵チャンバの右側の左右壁の間には軸通し柱が前後対称かつ固定的に設置され、前記伝動軸の左端が前記軸通し柱を通って粉砕輪の軸心に固定的に連結され、前記軸通し柱は前記伝動軸が前記吸塵チャンバを通る時にダストに汚されて損害しないように保護することができる。
【０００９】
前述した技術プランの上で、前記スプレー装置は前記廃棄物収集チャンバの上側に設置された旋転チャンバを含み、前記旋転チャンバの中には回転盤が回転可能に設置され、前記回転盤の中には分散チャンバが設置され、前記分散チャンバの下壁にはスプレー口が連通するように設置され、前記旋転チャンバと前記廃棄物収集チャンバの間には前記スプレー口と連通した抜き口が連通するように設置され、前記旋転チャンバの下側には伝動チャンバが設置され、前記伝動チャンバの上下壁の間には前記回転盤の上端に固定的に連結された旋転柱が回転可能に設置され、前記旋転柱の中には前記分散チャンバの上側に連通した抜き穴が上下に貫通するように設置されている。
【００１０】
前述した技術プランの上で、前記旋転柱の外円面には環状傘歯車が固定的に設置され、前記環状傘歯車の左側には噛み合った傘歯車が回転可能に設置され、前記傘歯車の左側には従動プーリが同軸に固定的に設置され、前記伝動チャンバの上壁には前記粉砕チャンバの左側に位置したプーリチャンバが連通するように設置され、前記プーリチャンバの中には後側の前記粉砕輪に伝動可能に連結された駆動プーリが回転可能に設置され、前記駆動プーリと前記従動プーリとの間には伝動ベルトが巻き付けられている。
【００１１】
前述した技術プランの上で、前記収集チャンバの左側にはダスト抑制剤貯蔵チャンバが設置され、前記ダスト抑制剤貯蔵チャンバの下壁には前記抜き穴の上側に連通した流通パイプが連通するように設置され、前記ダスト抑制剤貯蔵チャンバの下側には当て板チャンバが前記流通パイプを貫通するように設置され、前記当て板チャンバの中には当て板がスライド可能に設置され、前記当て板の中には前記流通パイプと連通した通し口が上下に貫通するように設置され、前記当て板の左端が外部に延びており、前記当て板の左端には押し引き板が固定的に設置され、前記当て板チャンバの下壁において前記流通パイプには位置制限溝が連通するように設置され、前記位置制限溝の中には前記当て板の下端面に固定的に連結された位置制限ブロックがスライド可能に設置されている。
【００１２】
前述した技術プランの上で、前記ダスト収集チャンバの中にはダスト収集箱が前後にスライド可能に設置され、前記ダスト収集箱の中には第二ダスト収集チャンバが設置され、前記第二ダスト収集チャンバの上壁の前半部分には上方に開口した開口が連通するように設置され、前記ダスト落ち通路が前記開口と対向することができ、前記第二ダスト収集チャンバの左右壁の上端にはガイドスライド溝が対称的かつ連通するように設置され、前記第二ダスト収集チャンバの中には左右両端が前記ガイドスライド溝の中に延びたスライド蓋板が設置され、前記スライド蓋板の前端には押し引きブロックが固定的に設置され、前記ダスト収集チャンバの上壁の後半部分には後方に開口した引掛りブロックチャンバが連通するように設置され、前記押し引きブロックの上端が前記開口を通って前記引掛りブロックチャンバに沿って前後にスライドすることができ、前記引掛りブロックチャンバの上壁の前端には引掛りブロックが固定的に設置され、前記引掛りブロックが前記押し引きブロックを係止して、前記ダスト収集箱を移し出す時に前記スライド蓋板を連動させて前記開口を塞ぐことができる。
【００１３】
前述した技術プランの上で、前記廃棄物収集チャンバの中には廃棄物収集箱が前後にスライド可能に設置され、前記廃棄物収集箱の中には上方に開口した第二廃棄物収集チャンバが設置され、前記廃棄物収集箱と前記ダスト収集箱の後端面にはハンドルが固定的に設置され、使用者は前記ハンドルによって前記ダスト収集箱と前記廃棄物収集箱を押し引きすることができる。
【発明の効果】
【００１４】
本発明の有益効果は：本発明は建造物廃棄物を収集する時に効果的にダストを吸い取り、廃棄物とダストとを別々で貯蔵すると同時に、廃棄物にダスト抑制剤をスプレーし、廃棄物を収集又は取り出す時にダストが飛び散らして空気を汚すのを防止できる。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の建造物廃棄物の収集集中処理装置の全体構成概略図
【図２】図２は図１の「Ａ―Ａ」方向の構成概略図
【図３】図３は図１の「Ｂ―Ｂ」方向の構成概略図
【図４】図４は図１の「Ｃ―Ｃ」方向の構成概略図
【図５】図５は図１の「Ｄ―Ｄ」方向の構成概略図
【図６】図６は図１の「Ｅ」の拡大略図
【図７】図７は図１の「Ｆ」の拡大略図
【発明を実施するための形態】
【００１７】
本願発明は建造物廃棄物の収集集中処理装置に関し、主には建造物廃棄物を収集するときのダストに対する処理に適用し、下記に図面を合わせて本願発明についてさらなる説明を行う。
【００１８】
本願発明の建造物廃棄物の収集集中処理装置は、収集箱１１を含み、前記収集箱１１の上端面には収集チャンバ１２が設置され、前記収集チャンバ１２の下側には粉砕装置１０１が設置され、前記粉砕装置１０１により建造物廃棄物を粉砕して収集に便利を与えることができ、前記粉砕装置１０１の四周において前記収集チャンバ１２の下側には吸塵装置１０２が設置され、前記吸塵装置１０２により前記収集チャンバ１２の中に移されたダストを吸い出して空気を汚すのを防止できると同時に、粉砕後に生じたダストを吸出し、収集された建造物廃棄物を取り出す時に生じた大量なダストを減らすことができ、前記粉砕装置１０１の下側には後方に開口した廃棄物収集チャンバ１３が設置され、前記廃棄物収集チャンバ１３の右側には後方に開口したダスト収集チャンバ１４が設置され、前記吸塵装置１０２が前記ダスト収集チャンバ１４の上方に連通しており、前記廃棄物収集チャンバ１３の左上側にはスプレー装置１０３が設置され、前記スプレー装置１０３により間欠的に前記廃棄物収集チャンバ１３の中にダスト抑制剤を噴出させてより効果的にダストの飛び出しを防止でき、前記吸塵装置１０２の右側にはエネルギー供給装置１０４が設置され、前記エネルギー供給装置１０４により前記粉砕装置１０１と前記吸塵装置１０２と前記スプレー装置１０３の作動を連動することができる。
【００１９】
有益的には、前記粉砕装置１０１は前記収集チャンバ１２の下側に連通するように設置された粉砕チャンバ１５を含み、前記粉砕チャンバ１５の中には回転方向が逆である粉砕輪１６が前後対称に設置され、前記粉砕チャンバ１５の内壁において前記粉砕輪１６の下側には濾過板１７が固定的に設置され、前記粉砕チャンバ１５の下壁と前記廃棄物収集チャンバ１３の上壁との間には落ち通路１８が連通するように設置されている。
【００２０】
有益的には、前記吸塵装置１０２は前記収集チャンバ１２の下壁の四周に連通するように設置された吸塵チャンバ１９を含み、前記吸塵チャンバ１９と前記収集チャンバ１２の連通した場所には環状濾過板２０が固定的に設置され、前記落ち通路１８の右壁と前記吸塵チャンバ１９の右側には連通口６６が連通し、前記吸塵チャンバ１９のうち右側部分に位置した右壁の下端にはファンチャンバ２１が連通するように設置され、前記ファンチャンバ２１と前記吸塵チャンバ１９の連通したところには風透過網２２が固定的に設置され、前記ファンチャンバ２１の右壁にはファン２３が回転可能に設置され、前記ファンチャンバ２１の右壁の下端には右方に開口した排気口２４が連通するように設置され、前記ファンチャンバ２１の下壁と前記ダスト収集チャンバ１４の上壁にはダスト落ち通路２５が連通するように設置されている。
【００２１】
有益的には、前記エネルギー供給装置１０４は前記ファンチャンバ２１の右側に設置されたエネルギー供給チャンバ２６を含み、前記エネルギー供給チャンバ２６の右壁の下端にはモータ２７が固定的に設置され、前記モータ２７の左端には動力プーリ２８が伝動可能に連結され、前記動力プーリ２８が前記ファン２３に伝動可能に連結され、前記エネルギー供給チャンバ２６の左壁において前記粉砕輪１６に対向した場所には噛み合った平歯車２９が回転可能に設置され、後側の前記平歯車２９の右端には伝動プーリ３０が同軸に固定的に設置され、前記伝動プーリ３０と前記動力プーリ２８との間には動力ベルト３１が巻き付けられ、前記平歯車２９の軸心には伝動軸３２が固定的に設置され、前記吸塵チャンバ１９の右側の左右壁の間には軸通し柱３３が前後対称かつ固定的に設置され、前記伝動軸３２の左端が前記軸通し柱３３を通って粉砕輪１６の軸心に固定的に連結され、前記軸通し柱３３は前記伝動軸３２が前記吸塵チャンバ１９を通る時にダストに汚されて損害しないように保護することができる。
【００２２】
有益的には、前記スプレー装置１０３は前記廃棄物収集チャンバ１３の上側に設置された旋転チャンバ３４を含み、前記旋転チャンバ３４の中には回転盤３５が回転可能に設置され、前記回転盤３５の中には分散チャンバ３６が設置され、前記分散チャンバ３６の下壁にはスプレー口３７が連通するように設置され、前記旋転チャンバ３４と前記廃棄物収集チャンバ１３の間には前記スプレー口３７と連通した抜き口３８が連通するように設置され、前記旋転チャンバ３４の下側には伝動チャンバ３９が設置され、前記伝動チャンバ３９の上下壁の間には前記回転盤３５の上端に固定的に連結された旋転柱４０が回転可能に設置され、前記旋転柱４０の中には前記分散チャンバ３６の上側に連通した抜き穴４１が上下に貫通するように設置されている。
【００２３】
有益的には、前記旋転柱４０の外円面には環状傘歯車４２が固定的に設置され、前記環状傘歯車４２の左側には噛み合った傘歯車４３が回転可能に設置され、前記傘歯車４３の左側には従動プーリ４４が同軸に固定的に設置され、前記伝動チャンバ３９の上壁には前記粉砕チャンバ１５の左側に位置したプーリチャンバ４５が連通するように設置され、前記プーリチャンバ４５の中には後側の前記粉砕輪１６に伝動可能に連結された駆動プーリ４６が回転可能に設置され、前記駆動プーリ４６と前記従動プーリ４４との間には伝動ベルト４７が巻き付けられている。
【００２４】
有益的には、前記収集チャンバ１２の左側にはダスト抑制剤貯蔵チャンバ４８が設置され、前記ダスト抑制剤貯蔵チャンバ４８の下壁には前記抜き穴４１の上側に連通した流通パイプ４９が連通するように設置され、前記ダスト抑制剤貯蔵チャンバ４８の下側には当て板チャンバ５０が前記流通パイプ４９を貫通するように設置され、前記当て板チャンバ５０の中には当て板５１がスライド可能に設置され、前記当て板５１の中には前記流通パイプ４９と連通した通し口５２が上下に貫通するように設置され、前記当て板５１の左端が外部に延びており、前記当て板５１の左端には押し引き板５３が固定的に設置され、前記当て板チャンバ５０の下壁において前記流通パイプ４９には位置制限溝５４が連通するように設置され、前記位置制限溝５４の中には前記当て板５１の下端面に固定的に連結された位置制限ブロック５５がスライド可能に設置されている。
【００２５】
有益的には、前記ダスト収集チャンバ１４の中にはダスト収集箱５６が前後にスライド可能に設置され、前記ダスト収集箱５６の中には第二ダスト収集チャンバ５７が設置され、前記第二ダスト収集チャンバ５７の上壁の前半部分には上方に開口した開口５８が連通するように設置され、前記ダスト落ち通路２５が前記開口５８と対向することができ、前記第二ダスト収集チャンバ５７の左右壁の上端にはガイドスライド溝５９が対称的かつ連通するように設置され、前記第二ダスト収集チャンバ５７の中には左右両端が前記ガイドスライド溝５９の中に延びたスライド蓋板６０が設置され、前記スライド蓋板６０の前端には押し引きブロック６１が固定的に設置され、前記ダスト収集チャンバ１４の上壁の後半部分には後方に開口した引掛りブロックチャンバ６２が連通するように設置され、前記押し引きブロック６１の上端が前記開口５８を通って前記引掛りブロックチャンバ６２に沿って前後にスライドすることができ、前記引掛りブロックチャンバ６２の上壁の前端には引掛りブロック６３が固定的に設置され、前記引掛りブロック６３が前記押し引きブロック６１を係止して、前記ダスト収集箱５６を移し出す時に前記スライド蓋板６０を連動させて前記開口５８を塞ぐことができる。
【００２６】
有益的には、前記廃棄物収集チャンバ１３の中には廃棄物収集箱６５が前後にスライド可能に設置され、前記廃棄物収集箱６５の中には上方に開口した第二廃棄物収集チャンバ６７が設置され、前記廃棄物収集箱６５と前記ダスト収集箱５６の後端面にはハンドル６４が固定的に設置され、使用者は前記ハンドル６４によって前記ダスト収集箱５６と前記廃棄物収集箱６５を押し引きすることができる。
【００２７】
下記に図１〜図７をあわせて本願発明の建造物廃棄物の収集集中処理装置の使用方法について詳しく説明する。
【００２８】
初期状態の時、当て板５１が流通パイプ４９を塞いている。
【００２９】
収集する時、モータ２７が起動して動力プーリ２８を回転連動させることで、ファン２３が連動して回転し空気を吸い込み、動力プーリ２８が動力ベルト３１により伝動プーリ３０を回転させて後側の平歯車２９を回転させ、更に歯車噛合により前側の平歯車２９を反転させ、更に伝動軸３２により粉砕輪１６を回転させ、この時後側の粉砕輪１６が駆動プーリ４６を回転連動させ、伝動ベルト４７により従動プーリ４４を回転させて傘歯車４３を回転させ、また歯車噛合により環状傘歯車４２を回転させて旋転柱４０を回転させることで、回転盤３５を回転させ、この時建造物の廃棄物を収集チャンバ１２に入れ、廃棄物が直接に粉砕チャンバ１５の中に落ちて粉砕輪１６により粉砕され、ダストが吸塵チャンバ１９の中に吸い込まれてダスト落ち通路２５を通過して第二ダスト収集チャンバ５７の中に落ち、粉砕された廃棄物が落ち通路１８を通過して第二廃棄物収集チャンバ６７の中に落ち、生じたダストが連通口６６から吸塵チャンバ１９の中に吸い込まれ、この時左に押し引き板５３を引いて当て板５１を左に移動させて通し口５２と流通パイプ４９とを連通し、ダスト抑制剤貯蔵チャンバ４８の中のダスト抑制剤が流通パイプ４９と抜き穴４１を通って分散チャンバ３６の中に流れ込み、スプレー口３７と抜き口３８とが連通した時、ダスト抑制剤が廃棄物にスプレーされる。
【００３０】
本発明の有益効果は：本発明は建造物廃棄物を収集する時に効果的にダストを吸い取り、廃棄物とダストとを別々で貯蔵すると同時に、廃棄物にダスト抑制剤をスプレーし、廃棄物を収集又は取り出す時にダストが飛び散らして空気を汚すのを防止できる。
【００３１】
上記方式により、当分野の技術者は本発明の範囲内に作動パターンにより各種な変化を実現できる。